(57)【特許請求の範囲】
【請求項１】
少なくとも一部に透光部を有し、端部が開口した直管カバーと；
この直管カバーに収容され、直管カバーの端部から外方に臨んで固定孔が形成された取付板と；
半導体発光素子が実装され、この半導体発光素子から出射された光が前記透光部から出射するように前記取付板に固定された基板と；
一方が開放し外側と内側とが連通する貫通孔が設けられた有底筒状の本体部、この本体部に配設されて一部が外側に突出し照明器具のソケットに支持されるランプピン、前記本体部の内側に形成された突起と、を有するとともに、前記突起によって前記固定孔と前記貫通孔とが位置決めされた口金と；
前記口金の外側から前記貫通孔を通って前記取付板の固定孔に取り付けられて、前記口金と前記取付板とを固定する固定具と；
を具備しており、前記突起は、貫通孔に隣接するとともに前記直管カバー内における前記基板を境とする領域において、前記半導体発光素子が固定された側とは反対側に位置するように形成されていることを特徴とする直管ランプ。
【請求項２】
前記突起は、前記口金の内側へ突設する突設長が前記口金において最も長いことを特徴とする請求項１記載の直管ランプ。
【請求項３】
器具本体と；
この器具本体に配設されたソケットと；
ランプピンが前記ソケットに支持されて取り付けられる請求項１記載の直管ランプと；
を具備したことを特徴とする請求項１または２記載の照明器具。
【発明の詳細な説明】
【技術分野】
【０００１】
本発明の実施形態は、両端部に口金を備え、各口金に照明器具のソケットと係合するランプピンを有する直管形ランプおよびこのランプを用いた照明器具に関する。
【背景技術】
【０００２】
一般に、断面円形の一対のランプピンが突出されたＧ１３形口金を両端に有する直管形の蛍光ランプ、およびこの蛍光ランプを接続するソケットを用いた照明装置が多く使用されている。
【０００３】
また、ＬＥＤ素子を用いた直管形ランプが提案されている。この直管形ランプでは、従来と同様のＧ１３形口金のランプピンまたは一端側をL形に形成したランプピンによってランプの機械的保持と給電を行うもの、あるいはランプピンは機械的保持のみを行い別途コネクタ等でランプに電源を供給する方式等が提案されている。
【先行技術文献】
【特許文献】
【０００４】
【特許文献１】実用新案登録第３１５２５０９号公報
【発明の概要】
【発明が解決しようとする課題】
【０００５】
本発明が解決しようとする課題は、直管カバーの端部に設けられる口金の貫通孔と取付板とが位置決めされる直管形ランプおよびこのランプを用いた照明器具を提供することである。
【課題を解決するための手段】
【０００６】
実施形態の直管形ランプは、少なくとも一部に透光部を有し、端部が開口した直管カバーを有し、この直管カバー内に半導体発光素子が実装された基板とこの基板を固定する取付板が収容されている。また、取付板には、直管カバーの端部から外方に臨んで固定孔が形成されている。基板は、半導体発光素子から出射された光が前記透光部から出射するように配設されている。
【０００７】
直管カバーの端部には、口金が設けられている。この口金は、一方が開放し外側と内側とが連通する貫通孔が設けられた有底筒状の本体部、この本体部に配設されて一部が外側に突出し照明器具のソケットに支持されるランプピン、前記本体部の内側に形成された突起と、を有するとともに、前記突起によって前記固定孔と前記貫通孔とが位置決めされる。また、口金は固定具が口金の外側から貫通孔を通って取付板の固定孔に取り付けられることによって取付板に固定される。
【発明の効果】
【０００８】
本発明によれば、直管カバーの端部に設けられる口金の貫通孔と取付板とを位置決めし、固定具の取り付けが容易になることが期待できる。
【図面の簡単な説明】
【０００９】
【図１】第１の実施形態を示す直管形ランプの斜視図である。
【図２】同上直管形ランプから口金を外したときの正面図である。
【図３】同上直管形ランプの給電用の口金側を示す一部断面図である。
【図４】同上直管形ランプの給電用の口金の外側を示す正面図である。
【図５】同上直管形ランプの給電用の口金の内側を示す背面図である。
【図６】同上直管形ランプの接地用の口金側を示す一部断面図である。
【図７】同上直管形ランプの接地用の口金の外側を示す正面図である。
【図８】同上直管形ランプの接地用の口金の内側を示す背面図である。
【図９】同上照明装置の斜視図である。
【図１０】第２の実施形態を示す直管形ランプの給電口金の内側を示す背面図である。
【図１１】同上直管形ランプの接地口金の内側を示す背面図である。
【発明を実施するための形態】
【００１０】
以下、第１の実施形態を、図1ないし図9を参照して説明する。
【００１１】
図9に直管形ランプ２灯用タイプの埋込形照明器具である照明器具10を示し、この照明器具10には２本の直管形ランプ20が用いられている。
【００１２】
照明器具10は、天井面に埋め込み設置される下面開放形の長尺な器具本体11、この器具本体11の長手方向の両端に対向配置されて各直管形ランプ20の端部がそれぞれ装着される２組のソケット13，14、および器具本体11に配置されて直管形ランプ20を点灯させる点灯装置12を備えている。直管形ランプ20の一端側を装着する一端側のソケット13は非給電側であってアース側であり、直管形ランプ20の他端側を装着する他端側のソケット14は給電用である。なお、アース側のソケット13は、直管形ランプ20のアース接続と取り付けとを兼ねる場合、直管形ランプ20の取り付けのみを行う場合とがあり、いずれでもよい。
【００１３】
ソケット13，14は、これらソケット13，14の先端面からアースピン42および給電ピン32を挿入し、直管形ランプ20の管軸を中心として９０°回転させることにより装着する回転装着式が用いられている。
【００１４】
また、図９に示す点灯装置12は、商用交流電源が入力され、交流電力を直流電力に変換し、この直流電力を給電用のソケット14の一対の給電端子および直管形ランプ20の一対の給電ピン32を通じて光源ユニット22に供給する。そして、光源ユニット22の各半導体発光素子25が点灯し、各半導体発光素子25からの光が透光性カバー21を透過して照明器具10の下方の所定の照射方向へ照射される。
【００１５】
図1に示すように、直管形ランプ20は、直管形蛍光ランプの発光管と同程度の管長および管径で直管形に形成されたチューブである直管カバーとしての透光性カバー21、この透光性カバー21内に収容された光源ユニット22、および透光性カバー21の両端部にそれぞれ設けられた口金40，30を備えている。直管形ランプ20の一端側の口金40はアース側のソケット13に装着される非給電側であるアース側であり、直管形ランプ20の他端側の口金30は給電用のソケット14に装着される給電用である。なお、アース側の口金40は、ソケット13に対してアース接続と取り付けとを兼ねる場合、ソケット13に対して取り付けのみを行う場合とがあり、いずれでもよい。
【００１６】
図２は、直管形ランプ20から口金30,40を外したときの正面図である。なお、図２は口金30が取り付けられる他端側から直管形ランプ20の端部を見たときの様子を示しているが口金40が取り付けられる一端側から見たときも同様の構成である。
【００１７】
透光性カバー21は、透光性を有する材料で構成され、一端側および他端側の端部が開口した筒状に形成されている。内周面には長手方向に延びる凸状の突出部21aが対向する位置から互いに接近するように突設されている。
【００１８】
光源ユニット22は、例えばＬＥＤ素子やＥＬ素子などの複数の半導体発光素子25が実装された複数の基板26、およびこれら基板26を取り付けた取付板としての金属プレート27を備えている。半導体発光素子25の実装方式には、ＬＥＤ素子の場合、基板26上にＬＥＤチップが搭載された接続端子付きの複数のＳＭＤ（Surface MountDevice）パッケージを実装する方式や、基板26上に複数のＬＥＤ素子を実装するＣＯＢ（Chip On Board）方式が用いられている。
【００１９】
金属プレート27は、略半円筒状に形成されており、側縁部27aが突出部21aと係止されて透光性カバー21内の所定位置に収容されている。また、金属プレート27の中心部には透光性カバー21の端部から外方に臨んで一対の固定孔27b, 27bおよびこの固定孔27b, 27bと連通するように位置決め穴27cとが形成されている。金属プレート27の平面部27dには一面側に半導体発光素子25が実装された基板26が配設されている。平面部27dの側方には溝状27eが長手方向に形成されており、図示しないねじがこの溝状27eに取り付けられることで基板26が金属プレート27に固定され、基板26の他面側と平面部27dとが密接される。なお、透光性カバー21は少なくとも一部に透光部21bを有していればよく、半導体発光素子25から出射された光が透光部21bから出射するように基板26は金属プレート27に固定される。
【００２０】
図３ないし図５に示すように、給電用の口金30は底壁31a、底壁31aの周囲から環状に突設された側壁31bを備え一方が開放した有底筒状の本体部31を有している。この本体部31は、ポリカーボネート（PC）やポリブチレンテレフタレート(PBT)等の合成樹脂で構成される。その他、点灯中の温度とランプ保持に耐えうる材料であれば特に限定されない。図３は、図２のA-A断面における給電用の口金30側を示す一部断面図である。なお、以下の説明では口金と透光性カバー21とが対向する側を内側、照明器具に取り付けられた状態でソケットと対向する側を外側とする。
【００２１】
底壁31aの外端面には、周囲よりも一段上がった段部31cが形成され、この段部31cから光源ユニット22に電気的に接続される給電用の一対の給電ピン32が突出されている。
【００２２】
そして、口金30の内側には本体部31の内側から突出し給電ピン32を覆うピン支持部33および一対の固定部34,34が形成されている。また、固定部34には外側と内側とが連通する貫通孔35が設けられている。
【００２３】
さらに、ピン支持部33と固定部34に対して連設されて一体化するように設けられた補強部36が形成されている。補強部36はピン支持部33と固定部34との間に設けられて本体部31を補強している。本実施形態の補強部36では、口金30の内側に突出するように形成されており、ピン支持部33と固定部34との間における本体部31の肉厚が厚くなるように口金30と一体的に設けられている。
【００２４】
また、一対の固定部34,34の間には口金30の内側から位置決め突起37が突設されている。この位置決め突起37は、位置決め穴27cに嵌合することで金属プレート27に対して口金30を支持する。また、口金30が金属プレート27に支持された状態で口金30の外側から貫通孔35を通して金属プレートの固定孔27bに固定具38を取り付けることで口金30と金属プレート27とが固定される。このとき、透光性カバー21は金属プレート27および口金30に対して固定されておらず長手方向への移動が許容される。なお、図３、図５に示すように、口金30の内側には側壁31bから透光性カバー21の厚みよりも広い幅寸法で離間配置した一対の規制部39が設けられており、透光性カバー21に口金30を取りつける際に透光性カバー21を案内するとともに、取り付けた後に透光性カバー21の移動範囲を規制することができる。
【００２５】
図６ないし８に示すように、接地用の口金40は底壁41a、底壁41aの周囲から環状に突設された側壁41bを備え一方が開放した有底筒状の本体部41、本体部41の外側中央部から突出するランプピンとしての一本のアースピン42を有している。図６は、図２のA-A断面における接地用の口金40側を示す一部断面図である。アースピン42は、軸部42aおよび軸部42aの先端に形成された楕円板状の先端部42b  を有している。また、本体部41の内側には、内側から突出しアースピン42を覆うピン支持部43および一対の固定部44,44が形成されている。また、固定部44には外側と内側とが連通する貫通孔45が設けられている。
【００２６】
さらに、ピン支持部43と固定部44に対して連設されて一体化するように設けられた補強部46が形成されている。補強部46はピン支持部43と固定部44とを接続するように設けられて、固定部44と同程度の突出寸法となっている。これによって、本体部41のピン支持部43と固定部44,44の領域を強固にしている。また、一対の固定部44,44の間には口金40の内側から位置決め突起47が突設されている。この位置決め突起47は、位置決め穴27cに嵌合することで金属プレート27に対して口金40を支持する。そして、口金40が金属プレート27に支持された状態で口金40の外側から貫通孔45を通して属プレート27の固定孔27bに固定具48を取り付けることで口金40と金属プレート27とが固定される。なお、口金40も口金30と同様に図６、図８に示すように、口金40の内側には側壁41bから透光性カバー21の厚みよりも広い離間寸法で配置した口金40内側の３箇所に規制部49が設けられており、透光性カバー21に口金40を取りつける際に透光性カバー21を案内するとともに、取り付けた後に透光性カバー21の移動範囲を規制することができる。この規制部49は、底壁41aから突設されてピン支持部43と一体的に設けられたリブ41cと一体化して設けられている。
【００２７】
次に、直管形ランプ20の組み立て手順について説明する。
【００２８】
まず、長尺の金属プレート27に半導体発光素子25が実装された複数枚の基板26を図示しない固定手段によって固定する。各基板はコネクタやリード線等の接続手段によって電気的に接続する。このとき、光源ユニット22の一方の端部が非給電側、他方の端部が給電側となる。このように構成された光源ユニット22を透光性カバー21の一方の開口部から挿入する。このとき、金属プレート27の側縁部27aが透光性カバー21の突出部21aと係止するように、すなわち対向する一対の突出部21a,21aと透光性カバー21の一部とで形成される空間に光源ユニット22を収容する。なお、透光性カバー21と光源ユニット22とは設計誤差、点灯時の透光性カバー21の熱収縮、組み立て性等を考慮し若干の隙間を有している。つまり、光源ユニット22と透光性カバー21とは固定されておらず相対的に若干の移動を許容するように構成されている。
【００２９】
次に、口金30を光源ユニット22の給電側、口金40を非給電側に配設する。ここで、口金30を金属プレート27に取り付ける作業は、まず透光性カバー21に収容された金属プレート27の位置決め穴27cに対し、口金30の位置決め突起37を嵌合させる。これによって、口金30の貫通孔35と固定孔27bとが位置決めされる。そして、口金30の外側から貫通孔35を介して固定具38を固定孔27へ固定し、口金30を光源ユニット22に固定することで、口金30が透光性カバー21の他端に取り付けられる。なお、口金30の給電ピン32と光源ユニット22との電気的接続は、基板26に対して図示しないコネクタ手段を設けておいて、口金30の取り付け作業と同時に行ってもよいし、リード線等の接続手段によって予め接続しておいてもよい。
【００３０】
そして、他端側についても同様に口金40を光源ユニット22に固定する。なお、アースピン42は、光源ユニット22と接地されていてもいなくてもよい。アースピン42が接地されていない場合、アースピン42は直管形ランプ20の機械的保持のみを行うことになる。
【００３１】
なお、直管形ランプ20は、アースピン42の先端部42bの長手方向と、一対の給電ピン32が並ぶ方向とが一致されているとともに、これらの方向に平行な面と光源ユニット22の半導体発光素子25の発光面とが平行になるように設けられている。すなわち、直管形ランプ20がソケット13，14間に正しく装着された状態で、光源ユニット22の半導体発光素子25の発光面からの光を透光性カバー21の透光部から所定の照射方向に照射できるように設けられている。
【００３２】
このように構成された、直管形ランプ20は光源ユニット22に対して口金30,40が固定具38,48で固定されているため、口金30,40の固定部34,44の強度が高くなる。しかしながら、給電ピン32およびアースピン42は口金30,40の外側に突出しているとともに固定部34,44と管径方向に離間しているため、給電ピン32またはアースピン42に負荷がかかった場合に給電ピン32、アースピン42の周囲に応力がかかりやすくなり、破損の恐れが高くなる。そこで、口金30,40を取り付けた状態で最も強度が高くなる固定部34,44と最も負荷がかかるピン支持部33,44とを連設して一体化するように補強部36,46を設けることによって、口金30,40が破損する等の不具合を抑制している。
【００３３】
さらに、口金30,40の内側には位置決め突起37を設け、位置決め穴27cと嵌合する構成としたので、口金30,40を光源ユニット22に取り付ける際に、貫通孔35,45と固定孔27bとが位置あわせされることによって、固定具38,49の取り付けが容易になる。特に、本実施形態のように透光性カバー21と光源ユニット22および口金30,40は固定されておらず、透光性カバー21に対してそれぞれの移動がわずかに許容される場合には特に作業性が向上する。また、口金30,40と金属プレート27との接続強度が向上するという効果も期待できる。
【００３４】
次に、第２の実施形態について、図１０、１１を用いて説明する。なお、第１の実施形態とは補強部の構成が異なっており、その他の共通する構成については詳細な説明を省略する。
【００３５】
第２の実施形態における給電用の口金300および接地用の口金400は、第１の実施形態と同様に、給電ピン332、アースピン342、ピン支持部333,443、固定部334,444、固定部334,444の内側に設けられる貫通孔335,445、位置決め突起337,447、規制部339,449を有している。補強部336,446は、本体部331,441の内側から所定幅のリブとして一体的に突出形成されており、ピン支持部333,443および固定部334,444と連設されて一体化するように設けられている。これによって、ピン支持部333,443の周囲の強度が向上し、口金の破損の恐れ等の不具合を抑制することができる。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
10…照明器具、11…器具本体、13,14…ソケット、20…直管形ランプ、21…透光性カバー、21b…透光部、25…半導体発光素子、26…基板、27…取付板としての金属プレート、27b…固定孔、27c…位置決め穴、30…給電用の口金、31,41…本体部、32…給電用のランプピン、33,43…ピン支持部、34,44…固定部、38…固定具、40…接地用の口金、42…接地用のランプピン
【図１】
0005915912.tif 000002
【図２】
0005915912.tif 000003
【図３】
0005915912.tif 000004
【図４】
0005915912.tif 000005
【図５】
0005915912.tif 000006
【図６】
0005915912.tif 000007
【図７】
0005915912.tif 000008
【図８】
0005915912.tif 000009
【図９】
0005915912.tif 000010
【図１０】
0005915912.tif 000011
【図１１】
0005915912.tif 000012